(57)【要約】【課題】ボディの内部で発生した音がマイクに伝わって集音されてしまうことを防止できるカメラおよび電子機器を提供する。【解決手段】マイク穴４の後方には、ゴム材料からなり、マイク５を保持する保持部材２００が配設されている。保持部材２００の前部には、前方に向かって立設する略Ｕ字断面形状のリブ２１０が設けられている。カバー１の裏側であって、リブ２１０と対向する位置にはＶ溝１１０が設けられている。デジタルカメラ１００が組み立てられた状態では、電池ボックス９が保持部材２００を前方へ向かって押圧する。電池ボックス９によって前方に押圧された保持部材２００は、リブ２１０の前方端２１１がカバー１のＶ溝１１０と全周にわたって当接する。リブ２１０の前方端２１１がＶ溝１１０に当接する際、前方端２１１は、第1斜面１１１と第2斜面１１２の双方に当接する。【選択図】図４
2008028649.tif 000002
【特許請求の範囲】
【請求項１】
筐体内に設けられる撮像手段と、
マイクと、
弾性部材から成り、前記マイクの集音面前面に開口部を有し、前記マイクを保持して前記筐体に取り付ける保持部材とを備え、
前記保持部材および前記筐体のうちのいずれか一方に凹部が設けられ、いずれか他方に凸部が設けられ、
前記保持部材が前記筐体に向かって押圧されると、前記凹部の第1面および前記第1面とは異なる第2面のそれぞれに前記凸部が当接することを特徴とするカメラ。
【請求項２】
請求項1に記載のカメラにおいて、
前記保持部材には前記凸部が設けられ、
前記筐体には前記凹部が設けられていることを特徴とするカメラ。
【請求項３】
請求項1に記載のカメラにおいて、
前記保持部材には前記凹部が設けられ、
前記筐体には前記凸部が設けられていることを特徴とするカメラ。
【請求項４】
請求項１〜３のいずれか一項に記載のカメラにおいて、
前記保持部材に設けられた前記凸部または前記凹部は、前記開口の周囲に設けられ、
前記保持部材が前記筐体に向かって押圧されると、前記凹部の第1面および第2面のそれぞれに前記凸部が全周にわたって当接することを特徴とするカメラ。
【請求項５】
請求項１〜４のいずれか一項に記載のカメラにおいて、
前記保持部材を前記筐体に向かって押圧する押圧部材をさらに備えることを特徴とするカメラ。
【請求項６】
請求項５に記載のカメラにおいて、
前記押圧部材は、前記押圧部材側から前記保持部材および前記筐体を見たときの前記凸部と前記凹部との当接部分、の近傍に当接して前記保持部材を押圧することを特徴とするカメラ。
【請求項７】
マイクと、
弾性部材から成り、前記マイクの集音面前面に開口部を有し、前記マイクを保持して筐体に取り付ける保持部材とを備え、
前記保持部材および前記筐体のうちのいずれか一方に凹部が設けられ、いずれか他方に凸部が設けられ、
前記保持部材が前記筐体に向かって押圧されると、前記凹部の第1面および前記第1面とは異なる第2面のそれぞれに前記凸部が当接することを特徴とする電子機器。
【発明の詳細な説明】
【技術分野】
【０００１】
本発明は、マイクを備えたカメラおよび電子機器に関する。
【背景技術】
【０００２】
マイクを保持したマイクホルダを電子機器の筐体に当接させて取り付けている電子機器が知られている（特許文献１参照）。
【０００３】
【特許文献１】特開平１０−２８５２５９号公報
【発明の開示】
【発明が解決しようとする課題】
【０００４】
しかし、従来の電子機器では、筐体の曲面部分にマイクおよびマイクホルダが配設されると、マイクホルダと筐体との当接部分に隙間ができることがある。そのため、筐体の内部で発生した音がこの隙間からマイクに伝わって集音されてしまう。
【課題を解決するための手段】
【０００５】
（１）  請求項１の発明によるカメラは、筐体内に設けられる撮像手段と、マイクと、弾性部材から成り、マイクの集音面前面に開口部を有し、マイクを保持して筐体に取り付ける保持部材とを備え、保持部材および筐体のうちのいずれか一方に凹部が設けられ、いずれか他方に凸部が設けられ、保持部材が筐体に向かって押圧されると、凹部の第1面および第1面とは異なる第2面のそれぞれに凸部が当接することを特徴とする。
（２）  請求項２の発明は、請求項1に記載のカメラにおいて、保持部材には凸部が設けられ、筐体には凹部が設けられていることを特徴とする。
（３）  請求項３の発明は、請求項1に記載のカメラにおいて、保持部材には凹部が設けられ、筐体には凸部が設けられていることを特徴とする。
（４）  請求項４の発明は、請求項１〜３のいずれか一項に記載のカメラにおいて、保持部材に設けられた凸部または凹部は、開口の周囲に設けられ、保持部材が筐体に向かって押圧されると、凹部の第1面および第2面のそれぞれに凸部が全周にわたって当接することを特徴とする。
（５）  請求項５の発明は、請求項１〜４のいずれか一項に記載のカメラにおいて、保持部材を筐体に向かって押圧する押圧部材をさらに備えることを特徴とする。
（６）  請求項６の発明は、請求項５に記載のカメラにおいて、押圧部材は、押圧部材側から保持部材および筐体を見たときの凸部と凹部との当接部分、の近傍に当接して保持部材を押圧することを特徴とする。
（７）  請求項７の発明による電子機器は、マイクと、弾性部材から成り、マイクの集音面前面に開口部を有し、マイクを保持して筐体に取り付ける保持部材とを備え、保持部材および筐体のうちのいずれか一方に凹部が設けられ、いずれか他方に凸部が設けられ、保持部材が筐体に向かって押圧されると、凹部の第1面および第1面とは異なる第2面のそれぞれに凸部が当接することを特徴とする。
【発明の効果】
【０００６】
本発明によれば、ボディの内部で発生した音がマイクに伝わって集音されてしまうことを防止できる。
【発明を実施するための最良の形態】
【０００７】
図１〜１０を参照して、本発明をカメラに適用した一実施の形態を説明する。図1は、本発明を適用したカメラの一例であるデジタルカメラの正面図である。デジタルカメラ１００は沈胴式レンズを搭載した、いわゆるコンパクト・デジタルカメラであり、カバー１に対して沈胴状態からレンズの光軸方向に繰り出されるレンズ鏡筒２を備えている。なお、以下の説明では、デジタルカメラ１００のレンズ光軸に沿って被写体側である、図１における紙面手前側を前方とし、紙面奥側を後方とするとともに、各構成要素についてもデジタルカメラ１００への取付姿勢を基準として各図における前後方向を規定する。
【０００８】
カバー１の前面には、閃光装置の発光窓３と、マイク穴４とが設けられている。後に詳述するように、マイク穴４の後方には、マイクが取り付けられている。カバー１の上部にはシャッターレリーズボタン６が設けられ、カバー１の下部には電池蓋７が設けられている。図２は、デジタルカメラ１００の内部を示した、図１のＩＩ−ＩＩ矢視断面図である。図２において、２１は合焦のためのフォーカスレンズであり、２２はフォーカスレンズ２１を保持するレンズ室である。３１は被写体像を撮像する撮像素子であり、３２は撮像素子３１で捉えた画像や各種情報を表示する液晶モニタである。ＡＸ１はレンズ光軸を示している。なお、デジタルカメラ１００の背面には焦点距離を調節する不図示のズームボタンや、液晶モニタ３２に種々の情報設定項目や情報のメニュー画面を表示させるためのスイッチであるメニューボタン（不図示）などが設けられている。
【０００９】
図３は、フォーカスレンズ２１を駆動する駆動機構４０を示す図である。４１はフォーカスモータであり、４２は送りネジであり、４３はキャリッジであり、４４はガイド軸である。フォーカスモータ４１の駆動によって送りネジ４２が回動されると、送りネジ４２と螺合するキャリッジ４３が前後方向に駆動される。レンズ室２２は腕部２２ａがキャリッジ４３と当接しているので、フォーカスモータ４１の駆動により、キャリッジ４３とともにガイド軸４４に沿って前後方向に駆動される。その結果、フォーカスレンズ２１が撮像素子３１の前方で光軸方向に沿って駆動される。
【００１０】
このデジタルカメラ１００は、静止画の撮像機能の他に、動画撮影機能と、動画撮影時の音声録音機能と、撮像操作とは関係なく音声を録音する音声メモ機能とを備えている。撮像素子で撮像した画像データ、およびマイク５で捉えた音声データは、電子データとしてデジタルカメラ１００に装着した記録媒体（不図示）に記録される。
【００１１】
−−−マイク５の取付構造−−−
図４は、図１に示したデジタルカメラ１００の上方からマイク穴４の近傍を見たときのＩＶ−ＩＶ矢視断面図である。マイク穴４の後方には、マイク５と、ゴム材料からなる保持部材２００とが配設されている。マイク５は、保持部材２００に保持された状態で保持部材２００とともに、電池室８を形成する電池ボックス９とカバー１の背面との間で挟持されている。
【００１２】
図５は、図４に示したＩＶ−ＩＶ矢視断面図のうち、カバー１について示した図であり、図６は、カバー１を背面側から見たときのマイク穴４の近傍の斜視図である。カバー１の背面側（裏側）には、マイク穴４の周囲にＶ溝１１０が形成されている。Ｖ溝１１０を構成する内側の斜面を第1斜面１１１と呼び、外側の斜面を第2斜面１１２と呼ぶ。Ｖ溝１１０の谷部近傍で、第1斜面１１１と第2斜面１１２とをなだらかに接続する曲面を谷面１１３と呼ぶ。なお、各斜面１１１，１１２は、マイク穴４を中心に前後方向（光軸方向）に延在する軸ＡＸ２を中心軸とする円錐面の一部にそれぞれ相当する。
【００１３】
図７は、マイク５の側面図である。マイク５は、略円柱形状の小型のコンデンサマイクロフォンであり、前面の中央に集音用の開口（不図示）が設けられている。集音用の開口を有する端面を集音側端面５１と呼ぶ。
【００１４】
図８は、保持部材２００の断面図であり、図９は、保持部材２００を斜め前方から見た斜視図である。保持部材２００は、シリコーンゴムやエチレンプロピレンゴム（EPDM）などのゴム材料で一体成形されたマイク５の保持部材であり、前方に開口２０１を有する有底円筒形状を呈する。保持部材２００の円筒内側に相当する部分は、マイク５を保持するマイク保持部２０２である。マイク保持部２０２の内周面前部には突条２０３が立設されている。なお、開口２０１は突条２０３によって形成されている。
【００１５】
マイク保持部２０２の後方には、有底円筒の底に相当する底部２０４が設けられている。底部２０４には、マイク５の不図示のリード線が挿通される不図示の穴が設けられている。保持部材２００の前面には、開口２０１の周囲を囲うように、前方に突出するリブ２１０が設けられている。リブ２１０の断面形状が略Ｕ字状となるように、リブ２１０の前方端２１１は凸状の曲面で形成されている。保持部材２００の前方の外周面には、フランジ状の鍔部２２０が設けられている。鍔部２２０の後面２２１の外周側には、後方に向かってリブ２２２が立設されている。
【００１６】
図４に示すように、マイク５が保持部材２００で保持されると、マイク５の側面がマイク保持部２０２の内周面で保持されて径方向への移動が規制され、集音側端面５１の外周近傍が突条２０３の後面に当接して前方への移動が規制される。なお、径方向とは、デジタルカメラ１００の前後方向に平行な軸に対して垂直な方向のことをいう。集音側端面５１は外周近傍を除いて開口２０１に面することとなるので、マイク５の集音用の開口が保持部材２００で塞がれることはない。また、マイク５が保持部材２００で保持されると、マイク保持部２０２の内周面と底部２０４の内面とを接続する曲面にマイク５の後面の外周が当接して、後方への移動が規制される。すなわち、マイク５は、保持部材２００で弾性的に保持されて、保持部材２００に対して前後方向および径方向に動かないように固定される。
【００１７】
図４に示すように、デジタルカメラ１００が組み立てられた状態では、電池ボックス９が鍔部２２０の後面２２１に当接して、マイク５を保持した保持部材２００を前方へ向かって押圧する。電池ボックス９によって前方に向かって付勢された保持部材２００は、リブ２１０の前方端２１１がカバー１のＶ溝１１０と全周にわたって当接する。
【００１８】
図１０は、リブ２１０の前方端２１１とＶ溝１１０との当接状態を示す図である。Ｖ溝１１０の谷面１１３の曲率は、リブ２１０の前方端２１１の曲率よりも小さい。そのため、リブ２１０が対向するＶ溝１１０に当接する際、前方端２１１は第1斜面１１１と第2斜面１１２の双方に当接する。すなわち、前方端２１１はＶ溝１１０と２箇所で当接する。保持部材２００が電池ボックス９によって前方へ向かって押圧されると、前方端２１１は弾性的に変形して、第1斜面１１１と第2斜面１１２の双方と、全周にわたって密着する。
【００１９】
なお、Ｖ溝１１０は、リブ２１０を案内する役割も果たす。リブ２１０の前方端２１１がＶ溝１１０に当接する際、リブ２１０がＶ溝１１０に案内されることで、マイク５の中心軸がマイク穴４の軸ＡＸ２と略一致するように保持部材２００が誘導される。その結果、マイク５を保持した保持部材２００がデジタルカメラ１００に取り付けられると、マイク５の集音用の開口とマイク穴４とがレンズ光軸ＡＸ１と略平行な直線上（軸ＡＸ２上）に配設されることとなり、マイク５の集音性能が妨げられない。
【００２０】
−−−電池ボックス９の当接位置について−−−
図４に示すように、デジタルカメラ１００が組み立てられた状態では、保持部材２００は、電池ボックス９とカバー１とによって挟持されている。このとき、保持部材２００は、鍔部２２０が前方に向かって押圧され、リブ２１０が後方に向かって押圧された状態となっている。すなわち、保持部材２００には、前後方向に沿って力が対向して作用することで、圧縮力が与えられていることとなる。しかし、この対向する圧縮力の作用位置が保持部材２００を前後方向から見たときに大きくずれている場合には、保持部材２００に剪断応力や曲げ応力が生じる。
【００２１】
このようにして生じる剪断応力や曲げ応力が過大となると、保持部材２００の意図しない変形を招いたり、リブ２１０とＶ溝１１０との当接状態に悪影響を及ぼす恐れがある。そこで、本実施の形態のデジタルカメラ１００では、保持部材２００を前後方向から見たときに電池ボックス９がリブ２１０の近傍に当接して押圧するように、できるだけ鍔部２２０の径方向内側を当接するように設計されている。ただし、リブ２１０がＶ溝１１０によって案内されて、保持部材２００の位置が誘導されるのを妨害しないように、電池ボックス９と、保持部材２００の外周面およびリブ２２２の内周面とは、適度の寸法差が設けられている。
【００２２】
−−−音の伝達経路−−−
このように、マイク５を保持した保持部材２００がデジタルカメラ１００に取り付けられると（図４）、集音側端面５１が面した空間は、マイク穴４を介してカバー１の外部の空間と連通しているが、カバー１の内側であり、かつ、保持部材２００の外部の空間とは、空間的に絶縁された状態となる。
【００２３】
たとえば、デジタルカメラ１００で音声とともに動画を撮影する場合、被写体の動きに応じて合焦動作が行われるため、駆動機構４０が作動して作動音が発生する。また、動画の撮影中に撮影者によって焦点距離の変更を指示された場合にも、不図示のレンズ駆動機構が作動して作動音が発生する。これらの作動音などのように、デジタルカメラ１００の内部で発生する音は、保持部材２００、および、リブ２１０とＶ溝１１０との当接部で遮断されるので、マイク５の集音側端面５１が面した空間には直接到達しない。なお、デジタルカメラ１００の外部の音は、マイク穴４を介してマイク５の集音側端面５１に到達し、マイク５によって集音される。これにより、デジタルカメラ１００の内部で発生する音の録音レベルを下げることができるので、録音音声を高音質化できる。
【００２４】
このように、本実施の形態のデジタルカメラ１００では、保持部材２００のリブ２１０をカバー１のＶ溝１１０に当接させるように構成したことで、次のような利点がある。
（１）  リブ２１０とＶ溝１１０とが２箇所で当接するので、仮に一方の当接部に異物が挟まって隙間ができたとしても、他方の当接部は隙間なく当接できるので、遮音性能を確保できる。
【００２５】
（２）  リブ２１０とＶ溝１１０とを当接させることにより、平面同士で当接した場合と比較して、当接部寸法ｄ（図１０参照）が小さくても十分な当接部の接触面積が確保される。
また、仕様により押圧によるリブ２１０の変形量の設計値があらかじめ定められている場合がある。そのような場合であっても、本実施例の装置では当接部寸法ｄが小さいため、すなわちリブ２１０の幅が小さいため、デジタルカメラ１００の組み立ての際に保持部材２００から受ける反発力を低減でき、組み立てし易くなる。
また、従来の装置よりも安価な硬めの材料を保持部材２００に用いたとしても、本実施例の装置では当接部寸法ｄが小さいため、デジタルカメラ１００の組み立ての際に保持部材２００から受ける反発力を低減でき、組み立てし易くなる。
【００２６】
上述したデジタルカメラ１００では、次の作用効果を奏する。
（１）  保持部材２００がカバー１に向かって押圧されると、リブ２１０の前方端２１１がＶ溝１１０の第1斜面１１１と第2斜面１１２の双方に当接するように構成したので、駆動機構４０の作動音などのように、デジタルカメラ１００の内部で発生する音をリブ２１０とＶ溝１１０との当接部で遮断できる。これにより、デジタルカメラ１００の内部で発生する音の録音レベルを下げることができるので、録音音声を高音質化できる。
【００２７】
（２）  保持部材２００に凸部であるリブ２１０を設け、カバー１に凹部であるＶ溝１１０を設けるように構成した。したがって、上述の場合とは逆に保持部材２００にＶ溝を設けた場合と比べて、保持部材２００の全体の大きさを大きくすることなく保持部材２００を介したマイク５とカバー１との距離を確保できる。これにより、カバー１から伝達される振動によるノイズを効果的に低減でき、録音音声の高音質化とデジタルカメラ１００の小型化という双方の要請に応えられる。
【００２８】
（３）  リブ２１０とＶ溝１１０とが全周にわたって当接するように構成した。これにより、保持部材２００とカバー１との間に隙間ができないので、確実に録音音声を高音質化できる。
【００２９】
（４）  電池ボックス９で保持部材２００を前方のカバー１に向かって押圧するように構成したので、リブ２１０とＶ溝１１０との密着性向上による遮音性能の確保と、保持部材２００の保持、固定とが簡単な構成で実現し、製造コストの低減に資する。
【００３０】
（５）  保持部材２００を前後方向から見たときに電池ボックス９がリブ２１０の近傍に当接して押圧するように、できるだけ鍔部２２０の径方向内側を当接するように構成した。これにより、保持部材２００に生じる剪断応力や曲げ応力が抑制されて、リブ２１０とＶ溝１１０との密着性が向上するので、録音音声の高音質化に資する。
【００３１】
−−−変形例−−−
（１）  上述の説明では、図４，１０や図１１（ａ）に示すように、Ｖ溝１１０を第1斜面１１１と第2斜面１１２と谷面１１３とで構成したが、本発明はこれに限定されない。たとえば、図１１（ｂ）に示すように、谷面１１３を設けなくてもよい。また、リブ２１０の前方端２１１の形状についても曲面に限らず、図１１（ｃ）に示すように、平面であってもよく（前方端２１２）い。
【００３２】
（２）  上述の説明では、保持部材２００に凸部であるリブ２１０を設け、カバー１に凹部であるＶ溝１１０を設けるように構成したが、図１２に示すように、保持部材２００に凹部であるＶ溝２３０を設け、カバー１に凸部であるリブ１３０を設けるように構成してもよい。なお、このように構成した場合には、リブ１３０がカバー１と同じ硬質の素材（金属、樹脂）で形成されるため、リブ１３０の強度が高い。よって、図４等で示された実施形態のリブ２１０と比較してリブ１３０は変形しづらいためリブ１３０が不用意に変形することがなく、リブ１３０とＶ溝２３０をより確実に当接させることができる。また、リブ１３０とＶ溝２３０との位置ずれが発生する可能性も低い。
【００３３】
（３）  上述の説明では、デジタルカメラ１００の内部の騒音発生源は、駆動機構４０などの光学系の駆動機構であるが、たとえば、画像データの記録手段としてＤＶＤドライブやハードディスクドライブを備えたデジタルカメラでは、これらドライブの駆動機構が騒音発生源となる。なお、この場合であっても、上述したようにデジタルカメラ１００の内部で発生した騒音を保持部材２００、および、リブ２１０とＶ溝１１０との当接部で遮断できる。
【００３４】
（４）  上述の説明では、保持部材２００の材質としてシリコーンゴムやエチレンプロピレンゴム（EPDM）などのゴム材料を用いているが、これら以外のゴム材料や、ゴム材料以外のエラストマーなど、各種の弾性体を用いてもよい。
【００３５】
（５）  上述の説明では、本発明をデジタルカメラに適用した一例として説明したが、本発明はこれに限定されない。携帯情報端末をはじめとする各種電子機器であって、筐体内に備えられたマイクで集音する装置であれば本発明を適用でき、上述した作用効果を同様の作用効果を奏する。
（６）  上述した各実施の形態および変形例は、それぞれ組み合わせてもよい。
【００３６】
なお、本発明は、上述した実施の形態のものに何ら限定されず、マイクと、弾性部材から成り、マイクの集音面前面に開口部を有し、マイクを保持して筐体に取り付ける保持部材とを備え、保持部材および筐体のうちのいずれか一方に凹部が設けられ、いずれか他方に凸部が設けられ、保持部材が筐体に向かって押圧されると、凹部の第1面および第1面とは異なる第2面のそれぞれに凸部が当接する各種構造の電子機器を含むものである。
【図面の簡単な説明】
【００３７】
【図１】デジタルカメラ１００の正面図である。
【図２】図１のＩＩ−ＩＩ矢視断面図である。
【図３】駆動機構４０を示す図である。
【図４】図１ＩＶ−ＩＶ矢視断面図である。
【図５】図４のカバー１を示した図である。
【図６】カバー１を裏側から見たときのマイク穴４の近傍の斜視図である。
【図７】マイク５の側面図である。
【図８】保持部材２００の断面図である。
【図９】保持部材２００を斜め前方から見た斜視図である。
【図１０】リブ２１０の前方端２１１とＶ溝１１０との当接状態を示す図である。
【図１１】変形例を示す図である。
【図１２】変形例を示す図である。
【符号の説明】
【００３８】
１  カバー                                  ５  マイク
９  電池ボックス                            １００  デジタルカメラ
１１０，２３０  Ｖ溝                        １１１  第1斜面
１１２  第２斜面                            １３０，２１０  リブ
２００  保持部材                            ２０１  開口
２１１，２１２，２１３  前方端
【図１】
2008028649.tif 000003
【図２】
2008028649.tif 000004
【図３】
2008028649.tif 000005
【図４】
2008028649.tif 000006
【図５】
2008028649.tif 000007
【図６】
2008028649.tif 000008
【図７】
2008028649.tif 000009
【図８】
2008028649.tif 000010
【図９】
2008028649.tif 000011
【図１０】
2008028649.tif 000012
【図１１】
2008028649.tif 000013
【図１２】
2008028649.tif 000014